(57)【特許請求の範囲】
【請求項１】
印刷媒体に保護層とともに画像データを印刷する印刷装置において、
画像データを入力する画像データ入力手段、
前記画像データ入力手段により入力された前記画像データを印刷媒体に印刷し、前記画像データが印刷された前記印刷媒体の印刷面に保護層を印刷する印刷手段、
前記画像データとは異なる情報を入力する情報入力手段、
前記印刷手段を制御して前記画像データおよび保護層を前記印刷媒体に印刷させる制御手段であって、
前記印刷手段を制御して、前記情報入力手段により入力された情報に基づいて前記保護層を印刷させ、当該制御により前記印刷手段は、前記保護層を印刷しない部分が前記情報入力手段により入力された情報を表すことで当該情報の印刷を行う制御手段、
前記情報入力手段により入力された情報を表す前記印刷媒体中の位置を設定する設定手段を有し、
前記制御手段は、前記設定手段によって設定された位置に所定の背景画を印刷するよう前記印刷手段を制御することを特徴とする印刷装置。
【請求項２】
印刷媒体に保護層とともに画像データを印刷する印刷装置において、
画像データを入力する画像データ入力手段、
前記画像データ入力手段により入力された前記画像データを印刷媒体に印刷し、前記画像データが印刷された前記印刷媒体の印刷面に保護層を印刷する印刷手段、
前記画像データとは異なる情報を入力する情報入力手段、
前記印刷手段を制御して前記画像データおよび保護層を前記印刷媒体に印刷させる制御手段であって、前記印刷手段を制御して、前記情報入力手段により入力された情報に基づいて前記保護層を印刷させ、当該制御により前記印刷手段は、前記保護層を印刷しない部分が前記情報入力手段により入力された情報を表すことで当該情報の印刷を行う制御手段、
を有し、
前記制御手段は、前記保護層を印刷しない領域と前記保護層を印刷する領域との境界部分の保護層の階調値変化を補正するエッジ補正手段を有することを特徴とする印刷装置。
【請求項３】
前記情報入力手段により入力された情報を前記保護層の印刷しない部分により表す前記印刷媒体中の位置を設定する設定手段を有することを特徴とする請求項２に記載の印刷装置。
【請求項４】
請求項１または３に記載の印刷装置において、前記情報入力手段は手動で情報を入力する手動入力手段を含み、前記設定手段は手動で前記情報入力手段により入力される情報の位置を設定する手動設定手段を含み、前記情報入力手段により入力される情報は、文字情報、図形情報および符号化されたコード情報の少なくともいずれか一つを含むことを特徴とする印刷装置。
【請求項５】
請求項１または３に記載の印刷装置において、前記設定手段は、前記入力された情報の位置を自動で設定する自動設定手段を含み、前記自動設定手段は前記画像データの濃度値に基づいて前記情報の位置を設定することを特徴とする印刷装置。
【請求項６】
請求項５に記載の印刷装置において、前記自動設定手段は、前記情報の位置の設定された背景画の配色を、前記印刷媒体の配色との識別ができる濃度値以上に設定することを特徴とする印刷装置。
【請求項７】
請求項５または６に記載の印刷装置において、前記自動設定手段は前記画像データの濃度値に基づいて前記情報の位置を設定するときに、画像データに含まれる被写体情報を検出し、前記検出された被写体情報と前記濃度値とに基づいて前記情報の位置を設定することを特徴とする印刷装置。
【請求項８】
前記請求項５ないし７のいずれか一項に記載の印刷装置において、前記設定手段は、前記自動設定手段による設定を手動で調整する手動調整手段を備えることを特徴とする印刷装置。
【請求項９】
請求項１または３に記載の印刷装置において、さらに前記画像データ入力手段で入力された前記画像データおよび前記情報入力手段で入力された前記情報を、前記設定手段による設定に従って表示する表示手段を備えることを特徴とする印刷装置。
【請求項１０】
前記請求項２に記載の印刷装置において、前記エッジ補正手段は、前記保護層を印刷しない領域と前記保護層を印刷した領域との境界部分の前記保護層の階調値変化を最大とするエッジ補正を行うことを特徴とする印刷装置。
【請求項１１】
請求項２に記載の印刷装置において、前記エッジ補正手段は、前記保護層を印刷しない領域と前記保護層を印刷した領域との境界部分の前記保護層の階調値の変化を、最大よりも小さくするエッジ補正を行うことを特徴とする印刷装置。
【請求項１２】
請求項３に記載の印刷装置において、前記設定手段が前記情報入力手段により入力される情報の位置を前記印刷媒体の画像データ印刷領域以外の領域に設定したときは、前記制御手段は前記印刷手段を制御して、前記情報入力手段で入力された前記情報を前記設定された位置に印刷することを特徴とする印刷装置。
【請求項１３】
印刷媒体に保護層とともに画像データを印刷する印刷装置において、
画像データを入力する画像データ入力手段、
前記画像データ入力手段により入力された前記画像データを印刷媒体に印刷し、前記画像データが印刷された前記印刷媒体の印刷面に保護層を印刷する印刷手段、
前記画像データとは異なる情報を入力する情報入力手段、
前記印刷手段を制御して前記画像データおよび保護層を前記印刷媒体に印刷させる制御手段であって、前記印刷手段を制御して、前記情報入力手段により入力された情報に基づいて前記保護層を印刷させ、当該制御により前記印刷手段は、前記保護層を印刷しない部分が前記情報入力手段により入力された情報を表すことで当該情報の印刷を行う制御手段、
前記画像データ入力手段により入力された画像データに吹き出しを付加して印刷する吹き出し設定手段
を有することを特徴とする印刷装置。
【請求項１４】
請求項１３に記載の印刷装置において、前記吹き出し設定手段は、吹き出しの色の設定を行い、前記吹き出し設定手段により設定された吹き出しの色が所定の色の場合は、前記制御手段は前記印刷手段を制御して、前記吹き出しが印刷される位置に前記情報入力手段により入力された情報を印刷することを特徴とする印刷装置。
【請求項１５】
請求項１３に記載の印刷装置において、前記吹き出し設定手段は、吹き出しの色の設定を行い、前記吹き出し設定手段により設定された前記吹き出しが印刷される位置に前記情報入力手段により入力された情報を印刷する場合は、前記制御手段は、前記吹き出し設定手段により設定される吹き出しの色を制限することを特徴とする印刷装置。
【請求項１６】
印刷媒体に保護層とともに画像データを印刷する印刷装置の制御方法において、
画像データを入力する画像データ入力ステップ、
前記画像データ入力ステップで入力された前記画像データを印刷媒体に印刷し、前記画像データが印刷された前記印刷媒体の印刷面に保護層を印刷する印刷ステップ、
前記画像データとは異なる情報を入力する情報入力ステップ、
前記印刷ステップを制御して前記画像データおよび保護層を前記印刷媒体に印刷する制御ステップであって、前記印刷ステップを制御して、前記情報入力ステップで入力された情報に基づいて前記保護層を印刷させ、当該制御により前記印刷ステップは、前記保護層を印刷しない部分が前記情報入力ステップで入力された情報を表すことで当該情報の印刷を行う制御ステップ、
前記情報入力ステップで入力された情報を表す前記印刷媒体中の位置を設定する設定ステップを有し、
前記制御ステップは、前記設定ステップで設定された位置に所定の背景画を印刷するよう前記印刷ステップを制御することを特徴とする制御方法。
【請求項１７】
コンピュータを、
画像データを入力する画像データ入力手段と、前記画像データ入力手段により入力された前記画像データを印刷媒体に印刷し、前記画像データが印刷された前記印刷媒体の印刷面に保護層を印刷する印刷手段を有する印刷装置の制御方法において、
前記画像データとは異なる情報を入力する情報入力手段、
前記印刷手段を制御して前記画像データおよび保護層を前記印刷媒体に印刷させる制御手段であって、前記印刷手段を制御して、前記情報入力手段により入力された情報に基づいて前記保護層を印刷させ、当該制御により前記印刷手段は、前記保護層を印刷しない部分が前記情報入力手段により入力された情報を表すことで当該情報の印刷を行う制御手段、および
前記情報入力手段により入力された情報を表す前記印刷媒体中の位置を設定する設定手段、
として機能させ、
さらに前記制御手段として機能させる場合に、前記設定手段によって設定された位置に所定の背景画を印刷するよう前記印刷手段を制御するよう機能させるためのプログラム。
【請求項１８】
請求項１７に記載されたプログラムを記録したコンピュータ読み取り可能な記録媒体。
【請求項１９】
印刷媒体に保護層とともに画像データを印刷する印刷装置の制御方法において、
画像データを入力する画像データ入力ステップ、
前記画像データ入力ステップで入力された前記画像データを印刷媒体に印刷し、前記画像データが印刷された前記印刷媒体の印刷面に保護層を印刷する印刷ステップ、
前記画像データとは異なる情報を入力する情報入力ステップ、
前記印刷ステップを制御して前記画像データおよび保護層を前記印刷媒体に印刷させる制御ステップであって、前記印刷ステップを制御して、前記情報入力ステップで入力された情報に基づいて前記保護層を印刷させ、当該制御により前記印刷ステップは、前記保護層を印刷しない部分が前記情報入力ステップで入力された情報を表すことで当該情報の印刷を行う制御ステップ、を有し、
前記制御ステップは、前記保護層を印刷しない領域と前記保護層を印刷する領域との境界部分の保護層の階調値変化を補正するエッジ補正ステップを有することを特徴とする制御方法。
【請求項２０】
コンピュータを、
画像データを入力する画像データ入力手段と、前記画像データ入力手段により入力された前記画像データを印刷媒体に印刷し、前記画像データが印刷された前記印刷媒体の印刷面に保護層を印刷する印刷手段を有する印刷装置の制御方法において、
前記画像データとは異なる情報を入力する情報入力手段、
前記印刷手段を制御して前記画像データおよび保護層を前記印刷媒体に印刷させる制御手段であって、前記印刷手段を制御して、前記情報入力手段により入力された情報に基づいて前記保護層を印刷させ、当該制御により前記印刷手段は、前記保護層を印刷しない部分が前記情報入力手段により入力された情報を表すことで当該情報の印刷を行う制御手段、として機能させ、
さらに前記制御手段として機能させる場合に、前記保護層を印刷しない領域と前記保護層を印刷する領域との境界部分の保護層の階調値変化を補正するエッジ補正手段として機能させるためのプログラム。
【請求項２１】
請求項２０に記載されたプログラムを記録したコンピュータ読み取り可能な記録媒体。
【請求項２２】
印刷媒体に保護層とともに画像データを印刷する印刷装置の制御方法において、
画像データを入力する画像データ入力ステップ、
前記画像データ入力ステップで入力された前記画像データを印刷媒体に印刷し、前記画像データが印刷された前記印刷媒体の印刷面に保護層を印刷する印刷ステップ、
前記画像データとは異なる情報を入力する情報入力ステップ、
前記印刷ステップを制御して前記画像データおよび保護層を前記印刷媒体に印刷させる制御ステップであって、前記印刷ステップを制御して、前記情報入力ステップで入力された情報に基づいて前記保護層を印刷させ、当該制御により前記印刷ステップは、前記保護層を印刷しない部分が前記情報入力ステップで入力された情報を表すことで当該情報の印刷を行う制御ステップ、
前記画像データ入力ステップで入力された画像データに吹き出しを付加して印刷する吹き出し設定ステップ
を有することを特徴とする制御方法。
【請求項２３】
コンピュータを、
画像データを入力する画像データ入力手段と、前記画像データ入力手段により入力された前記画像データを印刷媒体に印刷し、前記画像データが印刷された前記印刷媒体の印刷面に保護層を印刷する印刷手段を有する印刷装置の制御方法において、
前記画像データとは異なる情報を入力する情報入力手段、
前記印刷手段を制御して前記画像データおよび保護層を前記印刷媒体に印刷させる制御手段であって、前記印刷手段を制御して、前記情報入力手段により入力された情報に基づいて前記保護層を印刷させ、当該制御により前記印刷手段は、前記保護層を印刷しない部分が前記情報入力手段により入力された情報を表すことで当該情報の印刷を行う制御手段、
前記画像データ入力手段により入力された画像データに吹き出しを付加して印刷する吹き出し設定手段として機能させるためのプログラム。
【請求項２４】
請求項２３に記載されたプログラムを記録したコンピュータ読み取り可能な記録媒体。
【発明の詳細な説明】
【技術分野】
【０００１】
本発明は、印刷装置、その制御方法及びコンピュータプログラムに関し、特に印刷装置の印刷システムに適用されるオーバーコート層の印刷制御装置、その制御方法およびコンピュータプログラムに関する。
【背景技術】
【０００２】
デジタルスチルカメラやデジタルビデオカメラ、携帯電話といった画像入力手段を有する機器で撮像された画像データを印刷出力可能な印刷装置が数多く製品化されている。
【０００３】
前記画像入力機器で撮像した写真などの画像データを印刷出力する目的で使用されるフォト印刷装置で採用されている印刷方式の一例として、熱転写方式が挙げられる。
【０００４】
熱転写方式印刷装置は、染料受容層を表面に有する印刷用紙を用い、サーマルヘッドの主走査方向に配列された複数個の発熱体を選択的に駆動させることで、インクシートの染料層を印刷用紙の染料受像層に熱転写させる。同時に印刷用紙をサーマルヘッドの副走査方向に搬送することで印刷用紙上にドットライン状の印刷を行い、印刷用紙上に画像を形成する。
【０００５】
また、昇華型熱転写方式印刷装置は、固体から気体に昇華した染料を印刷用紙に付着させる方式のプリンタである。ヘッドに加える熱量と回数を制御して、１画素の濃度を変化させることで、滑らかで階調性豊かな画像を表現することができるため写真のプリント出力に適した方式である。
【０００６】
熱転写方式印刷装置では、一般的に図２に示される構成のインクリボンが使用されている。インクリボンの基材上に画像を形成するイエロー（Y）色201、マゼンタ（M）色202、シアン（C）色203の昇華性染料層が順に配置され、最後に画像形成層を保護するためのオーバーコート層（熱溶融性の樹脂製材料クリア層）204が配置されている。また、各色のインクリボンの間及びオーバーコート層との間には、インクリボンの頭出し位置検出用のマーカー205が配置されている。ただし、モノクロ画像印刷専用などの特色系インクリボンの構成はこの限りではない。
【０００７】
一つの画像は、Y色、M色、C色の3色の染料層及びオーバーコート層（保護層）から形成される。図３は、画像が形成された印刷用紙断面の概念図である。印刷用紙の染料受容層301側からイエロー（Y）色の昇華性染料302、マゼンタ（M）色の昇華性染料303、シアン（C）色の昇華性染料304、オーバーコート（OC）層305と順次印刷用紙へと熱転写処理が成される。
【０００８】
昇華染料層により形成された画像をオーバーコート層で保護することにより、擦過性が向上し、経年による色あせの防止が図られ、また耐久性および耐水性に優れた仕上がりを実現することが可能となる。
【０００９】
従ってインクリボンカートリッジ内のインクリボンには、印刷可能な枚数分だけＹ／M／C色、OC層が、繰り返し配置されている。通常、Ｙ／M／C各色及びOC層のリボンの長さは、印刷する印刷用紙の長手方向のサイズが印刷可能な長さに設定されている。
【００１０】
また、印刷する際に印刷装置側の設定で、撮影日時やユーザの要求する任意の文字情報を画像内に一緒に印刷可能な印刷装置が存在する。その他、画像内に模様などスタンプや吹き出し形状の図形を挿入して印刷画像のバリエーションを拡充する機能を持つ印刷装置もある。
【先行技術文献】
【特許文献】
【００１１】
【特許文献１】特開２００９−７３０３４号公報
【発明の概要】
【発明が解決しようとする課題】
【００１２】
しかしながら、印刷物をポストカード（絵葉書）として郵送する際などに個人情報が記載された文字情報を郵送相手以外の第三者に読まれたくない場合がある。また、カードサイズ等の印刷物でスクラッチ印刷のように文字や記号情報を隠蔽しておき、ユーザの作業により文字や記号情報として認識できる機能が印刷画像のバリエーションの拡充として求められている。また前記要望とは反対に、不必要となった文字情報や図形情報を消去したいという要望もある。
【００１３】
例えば、特許文献１では印刷画像の保護を行うオーバーコート層の塗布量を増減させて撮影画像に影響を与えない範囲でユーザの要求する情報を印刷画像に記録する技術が開示されている。文字情報部分のオーバーコート層の厚みが異なることにより反射率も異なり、ユーザが印刷物を斜め方向から目視することで、文字情報部分を認識可能となる。
【００１４】
しかし、文字情報を認識するためには、蛍光灯等明かりのある場所で光に当てながら印刷物を確認する必要があり、暗い環境下での視認性という点で問題があった。また、意図せず第三者に読まれてしまうという可能性がある。
【００１５】
本発明は上述した従来技術の問題点を解決するために成されたものである。すなわち、本発明の目的は、画像印刷において保護層を印刷する印刷装置において、印刷画像から文字情報または図形情報等を隠蔽することが可能な印刷装置を提供することである。また、不必要となった文字情報や図形情報を印刷後に消去することが可能な印刷装置を提供する。
【課題を解決するための手段】
【００１６】
上記目的を達成するために、本発明による印刷装置は、画像データを入力する画像データ入力手段、画像データ入力手段により入力された画像データを印刷媒体に印刷し、画像データが印刷された印刷媒体の印刷面に保護層を印刷する印刷手段、画像データとは異なる情報を入力する情報入力手段、印刷手段を制御して画像データおよび保護層を印刷媒体に印刷する制御手段であって、印刷手段を制御して、情報入力手段により入力された情報に基づいて保護層を印刷させ、この制御により印刷手段は、保護層を印刷しない部分が情報入力手段により入力された情報を表すことで情報の印刷を行う制御手段、情報入力手段により入力された情報を表す印刷媒体中の位置を設定する設定手段を有し、制御手段は、設定手段によって設定された位置に所定の背景画を印刷するよう印刷手段を制御する。
【００１７】
また、本件発明の印刷装置は、画像データ入力手段で入力された画像データおよび情報入力手段で入力された情報を、設定手段による設定に従って表示するための表示手段を備える。
【発明の効果】
【００１８】
本発明によれば、文字情報や図形情報等を印刷画像内に隠蔽することが可能な印刷を行える印刷装置を提供することが出来る。また、印刷後に不必要となった文字情報や図形情報を容易に消去することが可能なように印刷を行える印刷装置を提供することが出来る。
【図面の簡単な説明】
【００１９】
【図１】本発明の第１の実施形態に係る印刷装置により文字列を印刷したときの印刷用紙の印刷面を示す図である。
【図２】熱転写方式印刷装置で一般的に使用されるインクリボンの構成を示す図である。
【図３】熱転写方式印刷装置で画像が形成された印刷用紙の断面を示す概念図である。
【図４】本発明の各実施形態に係る印刷装置とそれに用いられるカートリッジの外観構成図である。
【図５】本発明の各実施形態に係る印刷装置の概略的な構成を示すブロック図である。
【図６】本発明の各実施形態に係る印刷装置において、カートリッジが装着されたときの印刷装置の側断面図である。
【図７】本発明の一つの実施形態に係る印刷装置において表示部と操作部材の構成を示す図である。
【図８】本発明の第１の実施形態に係る印刷装置の処理手順を示すフローチャートである。
【図９】本発明の第１の実施形態に係る印刷装置のGUIの表示例を示す図である。
【図１０】本発明の第１の実施形態に係る印刷装置のGUIの表示例を示す図である。
【図１１】本発明の第１の実施形態に係る印刷装置のGUIの表示例を示す図である。
【図１２】本発明の第１の実施形態に係る印刷装置により文字列が印刷された印刷用紙の印刷面を示す模式図である。
【図１３】本発明の第１の実施形態に係る印刷装置で画像が形成された印刷用紙の断面を示す概念図である。
【図１４】本発明の第１の実施形態に係る印刷装置により図形が印刷された印刷用紙の印刷面を示す図である。
【図１５】本発明の第１の実施形態に係る印刷装置により文字列およびその背景部に格子模様を印刷した印刷用紙の印刷面を示す図である。
【図１６】本発明の第２の実施形態に係る印刷装置の処理手順を示すフローチャートである。
【図１７】本発明の第２の実施形態に係る印刷装置のGUIの表示例を示す図である。
【図１８】本発明の第３の実施形態に係る印刷装置によりデジタル文字列を印刷した印刷用紙の印刷面を示す図である。
【図１９】本発明の第４の実施形態に係る印刷装置で画像が形成された印刷用紙の断面を示す概念図である。
【発明を実施するための形態】
【００２０】
以下に、本発明の好ましい実施の形態を、図１乃至図１９を参照して詳細に説明する。図１〜１９を参照して、本発明の実施例によるプリンタシステムの概要について説明する。
【００２１】
図４は、本実施形態にかかる印刷装置400および印刷装置400に用いられるカートリッジ410の外観構成を示す図である。
図４に示すように、印刷装置400は、その側面が開閉してカートリッジ410を図示する矢印420方向に着脱可能な（装着可能／取り出し可能）構成を有するハウジング401を備える。該ハウジング401の上部には、表示部402と操作部403とが配されている。GUI（Graphical User Interface）の表示を行う表示部402は液晶ディスプレイ等の表示画面から構成され、画像データの表示や印刷に必要な設定データを入力するためのメニューの表示を行う。操作部403は、図７に示される各種操作部材を備える。
【００２２】
図７に示されるように、操作部材には、印刷装置の電源のON/OFFを行う電源ボタン701、印刷出力の実行・中止を行う印刷／中止ボタン706が配置されている。電源ボタン701の押下により電源が投入される。十字キー705を操作して画像データを選択し、ＳＥＴボタン712の押下により選択した画像データの決定を行う。またジョグダイヤル711を回転させることで画像データの送り動作、スクロール動作、メニュー選択動作が行なえる。
【００２３】
メニューボタン703の押下により印刷枚数設定画面や印刷媒体(印刷用紙)種類設定画面への移行ができる。編集ボタン710により画像データのトリミング編集作業画面へ遷移し、ズームインボタン708及びズームアウトボタン707を操作して画像データのトリミングサイズを決定する。表示ボタン709で画像データのファイル名や撮影日、画像サイズといった情報の表示を行う。おたのしみボタン702は、カレンダ作成、マルチレイアウト作成（複数の画像データを並べてレイアウトする）、といった編集機能の選択画面へ遷移するためのボタンである。
【００２４】
印刷する画像データの選択と各種設定終了後に印刷／中止ボタン706を押下することで、印刷処理が開始される。印刷処理開始後に処理を中止したい場合は同印刷／中止ボタン706を押下する。
【００２５】
カートリッジ410には、インクが塗布されているインクリボンと、印刷紙としてのロール紙（ローラに巻かれた帯状の記録媒体）とが収納されている。また、カートリッジ410を印刷装置400に装着する前の状態では、ロール紙はハウジング411により密閉された構成となっており、ユーザがロール紙に直接触れることができない構成となっている。印刷時にはロール紙がカートリッジ410から引き出され、インクリボンに塗布されたインクが印刷装置のサーマルヘッドによりロール紙に転写される。
【００２６】
熱転写方式の印刷装置で一般的に使用されるインクリボンを図２に示す。このインクリボンでは、基材上に画像を形成するイエロー（Y）、マゼンタ（M）、シアン（C）用の昇華性染料層２０１乃至２０３が順に配置され、次に画像形成層を保護するオーバーコート層２０４（熱溶融性の樹脂製材料クリア層）が配置される。また、各色のインクリボンの間及びオーバーコート層との間には、インクリボンの頭出し位置検出用のマーカー２０５が配置される（先頭のY色マーカーは二重線となっている）。ただし、モノクロ画像専用などの特色系インクリボンの構成はこの限りではない。
【００２７】
一つの画像を形成するために、Y色、M色、C色の3色の染料層及びオーバーコート層である保護層を一組として、順次印刷用紙への熱転写処理が行われる。従ってインクリボンカートリッジ内のインクリボンには、印刷可能な枚数分だけＹ／M／C色、オーバーコート層が、繰り返し配置されている。
【００２８】
図４において、412はロール紙が巻かれたローラの回転軸である。カートリッジ410を印刷装置400に装着した際には、回転軸412が印刷装置400が有する給紙モータの回転機構と結合され、印刷装置400によってローラの回転が制御される。413、414は、それぞれインクリボンの供給ローラと巻き取りローラの回転軸である。巻き取りローラの回転軸414は、カートリッジ410を印刷装置400に装着した際に、印刷装置400が有するインクリボン巻上げモータ517の回転機構と結合される。これにより、印刷装置400によって巻き取りローラの回転が制御される。
【００２９】
図5は印刷装置400の機能構成を示すブロック図である。501は印刷装置400全体を制御するメインコントローラで、システム制御及び各種コンピュータプログラムに従った演算処理を行う。メインコントローラ501の演算処理により画像データに加工処理を施し、印刷処理に必要な画像データを生成する。502はメインコントローラ501に接続され、制御プログラムなどが格納されるＲＯＭであり、メインコントローラ501は、ＲＯＭ502に格納された制御プログラムに従って動作する。また、ＲＯＭ502にはカール量予測用テーブルが格納されており、メインコントローラ501でカール量を演算処理して算出する。ＲＡＭ503は、メインコントローラの演算処理用のワークメモリや、印刷用データの保管用メモリとして使用される。また、操作部403を介して入力された各種設定データ等にも一時格納メモリとして使用される。
【００３０】
529の画像データ入力部は、印刷装置400に具備するカードスロットに挿入されたメモリカードから画像データを読み出す。また、他に印刷装置400の入出力I／FであるUSB Aコネクタ端子（不図示）とデジタルカメラのUSB mini-Bコネクタ端子（不図示）をケーブルで接続して画像データを取得することが可能である。この場合は印刷装置側がホスト機器として機能し、デジタルカメラ側から印刷操作を行うことが可能である。次に、印刷装置の入出力I／FであるUSB Bコネクタ端子とPC（Personal Computer）とを接続することで、印刷装置側がデバイス機器として機能し、PC側から印刷操作を行うことも可能である。
【００３１】
527はサーマルヘッドであり、主走査方向に配置された発熱体（不図示）が発熱することにより、インクリボンに塗布されたインクを昇華させ、ロール紙上に付着させる。526はサーマルヘッド527に内蔵される発熱体を駆動させるヘッド駆動回路である。メインコントローラ501に接続されたドライバコントローラ525が、RAM503にビットマップ形式で記録された画像データを用いてヘッド駆動回路526を制御することで印刷が行われる。ビットマップ形式データの最大階調値は225である。また、オーバーコート層印刷時の画像データの階調値は170である。
【００３２】
511は駆動モータ512、513を駆動するためのロール紙搬送モータドライバである。駆動モータ512、513は回転機構を介して、後述するカール補正ローラやグリップローラ、排紙ローラ、排紙蹴りだしローラ等に結合されており、これらのローラを駆動させることによりロール紙を搬送する。
【００３３】
514は給紙モータドライバであり、給紙モータ515の回転を制御する。カートリッジ410が装着された状態においては、給紙モータ515は、ロール紙ユニットの回転軸となっているローラ412と回転機構を介して結合され、給紙モータドライバ514によりローラ412の回転駆動を制御する。
【００３４】
516はインクリボン巻上げモータドライバであり、インクリボン巻上げモータ517の回転を制御する。カートリッジ410が装着された状態では、インクリボンの巻き取りローラ414とインクリボン巻上げモータ517とが回転機構を介して結合されるので、インクリボン巻上げモータドライバ516によりインクリボンの巻き取り、巻き上げが制御される。
【００３５】
518はヘッドアップダウンモータードライバである。このドライバ518がサーマルヘッド527の昇降を行うヘッドアップダウンモータ519の回転を制御することで、サーマルヘッド527を印刷位置と退避位置との間で動作させる。
【００３６】
520はカッターモータドライバである。カッターモータドライバ520が、カッターユニットを構成するカッター刃及びカッター受け刃を駆動するカッターモータ521を制御することで、ロール紙の切断を行う。
【００３７】
504はリボン残量検出センサである。リボン巻き取り時の回転速度を検出し、その回転速度からローラに巻き回されたロール紙の残量を検知する。ロール紙の残量がなくなった場合には、表示部402にロール紙の残量が少ない旨のメッセージが表示される。
【００３８】
505はロール紙検出センサである。カートリッジ410内に配されたロール紙が押し出され、先端部がカートリッジ出口から排出されたことを検出するセンサである。ロール紙検出センサ505は、カートリッジ出口近傍に、ロール紙の幅方向に対向して設けられており、カートリッジ出口から排出されたロール紙の幅方向右端部と左端部とをそれぞれ検出する。ロール紙検出センサ505によるロール紙両端部の検出タイミングの差により、印刷装置400では、カートリッジ出口より押し出されたロール紙の幅方向の傾きを認識することができる。
【００３９】
506はロール紙頭出しセンサであり、サーマルヘッド527に対向して設けられるプラテンローラの後方に配され、印刷開始時に、カートリッジ410から引き出されたロール紙の先端部がプラテンローラの後方を通過したことを検出する。
【００４０】
507はリボン頭出しセンサであり、インクリボンの各色の先端部に塗布された識別帯を検出する。インクリボン巻上げモータ517によるインクリボンの巻き上げ動作は、リボン頭出しセンサ507の検出結果に基づいて制御される。
【００４１】
508は周囲環境検出センサであり、印刷装置400が載置された環境の温度及び湿度を検出する。ヘッド駆動回路526によりサーマルヘッド527に投入される投入エネルギーは、周囲環境検出センサ508で取得した温度検出結果に基づいて制御される。また、カール量予測では、周囲環境検出センサ508で取得した温度、湿度検出結果がパラメータとして使用される。
【００４２】
509はヘッド圧検出センサであり、印刷時にサーマルヘッド527が印刷位置まで下降してプラテンローラとの間でインクリボンとロール紙とを押圧するときのヘッド圧を検出する。510は印刷範囲識別センサであり、カッターユニット近傍に配され、印刷された範囲を識別する。
【００４３】
522は表示制御部であり、印刷する画像データや印刷に必要な設定を行うためのGUI画面を表示部402に表示するための制御を司る。530はＩＣ読み書き部であり、カートリッジ410に配されたカートリッジ情報チップ（ＩＣ）からの情報の読み取りと、該ＩＣへの情報の書き込みを行う。ＩＣより読み出される情報としては、例えば、ロール紙のサイズ（幅、厚さ、長さ）、ロール紙の特性、ローラ径、製造年月日の情報、インクリボンの特性情報、インクリボンの巻き取りローラの径、インクリボンの供給ローラの径等がある。また、ＩＣに書込まれる情報としては、例えば、印刷された枚数情報、印刷ミスした枚数情報、印刷ミスの要因情報等がある。
【００４４】
図６は、カートリッジ410が印刷装置400に装着された状態を、印刷装置400の側面から見た場合の断面図である。図６を用いて、印刷装置400が印刷処理を行う際に動作する各部の構成について簡単に説明する。なお、上述の説明においてすでに説明した構成については、同じ参照番号を付すこととし、ここでは説明は省略する。
【００４５】
図６において、601はカートリッジ410に内包されたロール紙613-2が印刷時に印刷位置611まで引き出される場合に通過する搬送路である。602はカートリッジ出口である。ローラ613-1に巻かれていたロール紙613-2は、分離部材614により引き剥がされることで、カートリッジ出口602よりカートリッジ410の外部に引き出され、搬送路601を通過する。
【００４６】
603-1、603-2はカール補正ローラ及びカール補正従動ローラであり、ロール紙613-2のカールを矯正する。604-1、604-2はピンチローラ及びグリップローラであり、ロール紙613-2を介して対向する位置に配され、ロール紙613-2の表裏面を挟持する。当該１対のローラが正転することで（ピンチローラ604-1が紙面に向かって左回りに回転することで）、カートリッジ410から引き出されたロール紙613-2が、印刷位置611に向かって搬送する。
【００４７】
なお、カートリッジ410が印刷装置400に装着された状態では、印刷位置611に対応する位置においてインクリボン615を覆っていたカートリッジ410のハウジングは取り除かれている。そして、インクリボン615がカートリッジ410の外部に露出した状態となっている。
【００４８】
605はプラテンローラであり、印刷位置611において、サーマルヘッド527との間で、インクリボン615とロール紙613-2とを重畳させた状態を維持する。612はヘッド位置規定部材であり、昇降を行うヘッドアップダウンモータ519の制御機構に連動する。
【００４９】
606は排紙ローラであり、ロール紙613-2を排紙方向に搬送する。607は排紙蹴りだしローラであり、凹凸部を備え、印刷後に切断されたロール紙613-2を後述の印刷用紙スタックに蹴りだす。排紙ローラ606と排紙蹴りだしローラ607とは、ロール紙613-2を介して対向する位置に配され、ロール紙613-2の表裏面を挟持する。 
【００５０】
608はカッターモータ521の動作をカッターユニットに伝達するギア列である。609、610はカッターユニットを構成するカッター刃とカッター受け刃であり、ロール紙613-2の搬送路を挟んで、対向した位置に配置されている。カッター刃609とカッター受け刃610は、ギア列608により駆動され、はさみ状に上下の刃がすりあわされることにより、ロール紙613-2を切断する。
【００５１】
なお、図６では、ロール紙613-2の先端部が分離部材614により引き剥がされ、搬送路601にとどまった状態となっている。しかし、印刷装置400では、カートリッジ410を印刷装置400に装着した直後に、当該状態が実現されるわけではない。また、カッターユニットにより切り出された印刷用紙は、排紙ローラ606と排紙蹴りだしローラ607により排紙口から送り出される。
【００５２】
なお、図５のブロック図には図示されていないが、印刷装置は、動作に必要な電力を供給するための電源回路及び各種IC、電気素子を実装した回路基板などを装置内に格納している。
【００５３】
上述したように、本発明の印刷装置は、画像データを入力する画像データ入力し、入力された画像データを印刷媒体に印刷し、画像データが印刷された印刷媒体の印刷面に保護層を印刷する。
【実施例１】
【００５４】
以下、本発明の第１の実施形態に係る印刷装置の印刷設定及び印刷処理動作について、フローを用いて詳しい説明を行う。図８は、第１の実施形態に係る印刷装置の印刷処理手順を示すフローチャートである。図９〜１１は、図８のフローチャートで示される処理を実施する際の表示部402のGUIの表示例である。図８のフローチャートおよび図9乃至11のGUIの表示は、ＲＯＭ502に格納されているコンピュータプログラムにしたがってメインコントローラ501が動作することで実現できる。
【００５５】
表示部402に表示されているGUIであるメニュー画面(不図示)の印刷設定を、十字キー705およびＳＥＴボタン712の操作により選択すると、画像データ入力部529により画像データが読み出される。読み出された画像データは、サムネイルとして表示部402に一覧表示される。次に、操作部材の十字キー705の操作により画像データの一覧表示から印刷対象となる画像データ901を選択する（ステップS801）。続いておたのしみボタン702の押下により、図１０のおたのしみ印刷設定画面に遷移する（ステップS802）。次に十字キー705で『オーバーコート抜き文字印刷1001』を選択し、ＳＥＴボタン712を押下する（ステップS803）。
【００５６】
次に、ユーザが所望の文字列領域902を入力するため図１１に示される文字入力画面（情報入力）に遷移する。ソフトウェアキーボード画面1101において十字キー705を押下して入力する文字を選択し（手動選択）、ＳＥＴボタン712の押下により、文字入力フィールド1102に入力した文字列が表示される（ステップS804）。文字列の入力完了後に図９に示される配置選択画面で、十字キー705の押下により画像データ901内に配置する文字列領域902の位置を決定する（ステップS805）。印刷設定完了後に、印刷／中止ボタン706を押下する（手動設定）（ステップＳ806）。
【００５７】
給紙モータ515が回転駆動することによりロール紙313-2が引き出され、ピンチローラ604-1及びグリップローラ604-2へと搬送される（ステップS807）。以降の印刷用紙搬送はステッピング・モータである駆動モータ512、513により駆動制御されるグリップローラ604-2により行われる（ステップS808）。駆動モータ512、513はロール紙搬送モータドライバ511から送り出されるパルス信号のStep数だけ回転駆動し、印刷用紙の先端位置検出後は、オープン・ループで位置制御を行う。
【００５８】
グリップローラ604-2により送られてきた印刷用紙先端をロール紙検出センサ505により検出する（ステップS809）。ロール紙613-2の画像の書き出し位置がサーマルヘッド527のところに来るまで定められたStep数分だけ印刷用紙搬送を実行する（ステップS810）。次にリボン巻き取りローラ回転軸414の回転を制御して、Y色の頭出しを行う。インクリボン頭出し用マーカー検出センサで、Y色の頭出しマーカーを検出する（ステップS811）。Y色インクリボンの頭出し終了後に、印刷用紙搬送及びインクリボン頭出し中は待避していていたサーマルヘッド527を、ロール紙613-2とインクリボン615を挟み込む形でプラテンローラ605側へと圧着する。
【００５９】
画像データ入力部529から画像データを読出し、メインコントローラ201の処理によりRAM203にY色インク印刷データを生成する。生成された印刷データを、サーマルヘッド
527を制御するヘッド駆動回路526へと転送し、ヘッド制御信号の通電によりサーマルヘッド527に配置された発熱体を発熱させる。インクリボンが熱されることにより、接しているロール紙613-2へと染料が昇華・定着し、1ライン毎に印刷処理が実行される。サーマルヘッド527の通電処理と同期してグリップローラ604-2が印刷用紙送りを行い、画像を形成する（ステップS812）。本ステップの処理で印刷用紙の染料受容層に、イエロー（Y）色の昇華性染料層が形成される。
【００６０】
Y色の印刷処理終了したら、サーマルヘッド527を待避させる。そして、グリップローラ604-2を印刷処理時とは逆方向に回転駆動させ、ロール紙613-2の画像第1面の書き出し位置がサーマルヘッド527の発熱体の位置に来るまでロール紙613-2を戻す（ステップS813）。
【００６１】
ステップS811と同様にリボン巻き取りローラ回転軸414の回転を制御して、M色のインクリボンのマーカーを検出、頭出しを行う（ステップS814）。Y色で形成された画像と重なるようにステップS812と同様にM色のインクリボンで印刷処理を実施する（ステップS815）。印刷処理後、ステップS813と同様に、画像の書き出し位置までロール紙613-2を戻す（ステップS816）。本ステップでマゼンタ（M）色の昇華性染料層が形成される。C色の印刷処理ステップS817〜S819までは、M色の印刷処理ステップS814〜S816と同様の処理を行い、ロール紙613-2の染料受容層に画像を形成する。本ステップでシアン（C）色の昇華性染料層が形成される。
【００６２】
続いてインクリボンのオーバーコート層の頭出しを行う（ステップS820）。メインコントローラ201の処理により文字列領域902部分は階調値が0、文字列領域902部分以外は階調値が170となるオーバーコート層印刷用のデータをＲＡＭ203に生成する。生成された印刷データを、サーマルヘッド527を制御するヘッド駆動回路526へと転送し、ヘッド制御信号の通電によりサーマルヘッド527に配置された発熱体が発熱する。サーマルヘッド527の発熱体の発熱により樹脂製材料クリア層（オーバーコート層）が印刷用紙表面に透明な保護層を形成する。(ステップS821)。
【００６３】
その後、サーマルヘッド527を待避させ、グリップローラ604-2を印刷処理時と同方向に回転駆動させる。これにより、ロール紙613-2のカット位置が印刷用紙カット機構であるカッター刃609の位置に来るまでロール紙613-2を送り、カッター刃609を駆動して印刷用紙の切断を行う（ステップS822）。
【００６４】
切断された印刷用紙を排紙ローラ606と排紙蹴り出しローラ607で挟み込み駆動モータ512,513の駆動力により、排紙方向へと回転させることで、印刷済みの印刷用紙を印刷装置外部へと排紙する（ステップS823）。以上で画像データ１枚分の印刷処理が完了する。
【００６５】
上記印刷処理により、文字列領域902以外の部分は染料印刷オーバーコート層印刷領域101となる。文字列領域902の部分は、図１２に示すように、染料印刷オーバーコート層印刷領域101と染料印刷オーバーコート層非印刷領域102が形成される。染料印刷オーバーコート層印刷領域101は、図３に示されるようにイエロー（Y）色の昇華性染料302、マゼンタ（M）色の昇華性染料303、シアン（C）色の昇華性染料304の上にオーバーコート層305が形成されている。したがって染料がオーバーコート層305に保護されており、印刷用紙の印刷面が擦れた場合でも染料が染料受容層301から除去されることはない。
【００６６】
一方、染料印刷オーバーコート層非印刷領域102は、図１３に示されるようにイエロー（Y）色の昇華性染料302、マゼンタ（M）色の昇華性染料303、シアン（C）色の昇華性染料304の上に保護層がない状態である。したがって、印刷用紙の印刷面が字消しや指等で擦れた場合、上記染料層が染料受容層301から除去される。例えばユーザが字消し等で、染料印刷オーバーコート層非印刷領域102の一部を擦ると、染料が染料受容層301から除去されて図１に示されるように染料除去オーバーコート層非印刷領域103が形成される。染料除去オーバーコート層非印刷領域103は印刷用紙の下地の色（白色等）が見えるため、文字列を認識することが可能となる。ただし、染料が染料受容層301から除去されていない場合は、染料が画像を形成しているため、染料印刷オーバーコート層印刷領域101と染料印刷オーバーコート層非印刷領域102の境界面は視認し難く、文字列領域902部分は判別が困難である。
【００６７】
また、図１５に示すように、文字列領域902の画像を格子（ブロック）模様やグラデーション模様とする処理を追加してもよい。これにより、染料印刷オーバーコート層印刷領域101と染料印刷オーバーコート層非印刷領域102の境界をより判別し難く、隠蔽性を高めることが可能となる。
【００６８】
上記実施例では文字列領域902の文字部分を染料印刷オーバーコート層非印刷領域102として作成したが、図１4に示すように、星型等の図形や記号を染料印刷オーバーコート層非印刷領域102として作成することも可能である。図形や記号は、ユーザが表示部402に表示される選択候補から選択してもユーザが任意の形状を作成して設定しても良い。
【００６９】
以上、本件発明によれば、ユーザの任意の位置に文字情報や図形情報等を、印刷画像上にオーバーコート層を印刷しない領域として印刷することにより、文字情報や図形情報等を印刷画像内に隠蔽することを可能にできる。また、隠蔽された情報は、印刷用紙の印刷面をこすることによって容易に可視化することができる。
【実施例２】
【００７０】
以下、本発明の第２の実施形態に係る印刷装置の印刷設定及び印刷処理動作について、フローを用いて詳しい説明を行う。図１６は、第２の実施形態に係る印刷装置の印刷処理手順を示すフローチャートである。図１７は、図１６のフローチャートで示される処理を実施する際の表示部402のGUIの表示例である。図１６のフローチャートおよび図１７のGUIの表示は、第１の実施形態と同様に、ＲＯＭ502に格納されているコンピュータプログラムにしたがってメインコントローラ501が動作することで実現できる。
【００７１】
第１の実施形態と同様にメニュー画面で印刷設定を選択したら、画像データ入力部529により入力された画像データから印刷対象の画像データを選択する（S1601）。さらに、第１の実施形態と同様の方法で文字列／図形を入力、設定する（S1602）。次にメインコントローラ501で、印刷対象となる画像データの濃度分布を解析（Ｓ1603）する。文字列／図形のサイズを元に、染料除去オーバーコート層非印刷領域103が識別可能な所定の濃度値位置以上の領域を探し、そこに文字列／図形を自動配置する。そして、図１７(a)に示すGUIを表示部402に表示する(Ｓ1604)。文字列1702は画像データ1701内で所定の濃度値以上の領域に自動配置されている。なお、自動配置の際には、画像データ内1701で顔検出を行い（被写体情報の検出）、所定濃度値以上の領域であっても人物部分を避けるように配置しても良い。また、おたのしみ印刷設定画面で文字列1702の背景部（背景画）として吹き出し図形1703等が設定されている場合であって、所定濃度値以上の色の吹き出しが画像データに付加されている場合は吹き出しの領域に、自動配置するようにしてもよい。
【００７２】
また、例えば図１０のおたのしみ印刷設定画面で文字列1702の背景部として吹き出し図形1703等が設定されている場合は、吹き出し図形1703の自動配色処理を行ってもよい。すなわち、吹き出し図形1703の配色を染料除去オーバーコート層非印刷領域103が識別可能な所定の濃度値以上となる配色を自動的に選択し、図１７(b)に示すGUIを表示部402に表示する(Ｓ1605)。その後、ユーザは文字列／図形の自動配置及び文字列／図形背景部の自動配色結果を確認し、変更の必要がない場合には十字キー705の操作によりOKボタン1704を選択し、SETボタン712を押下する（S1606のYES）。微調整が必要な場合には、十字キー705の操作により微調整ボタン1705を選択し、SETボタンを押下する（S1606のNO）。ステップS1607では文字列／図形の配置、及び背景部の配色をユーザが表示部402のGUI画面を確認しながら操作部材403を使用して調整する（手動調整）。また、自動配色処理を行うのではなく、吹き出しの色が所定の濃度値以上となる色となるように、選択可能な色を制限してもよい。
【００７３】
設定後、ユーザによる文字列／図形の配置、及び背景部の配色が、染料除去オーバーコート層非印刷領域103の識別が困難な場合はユーザに通知を出す仕様にしても良い。設定が完了後、印刷／中止ボタン706を押下して印刷処理(S1610)へと遷移する。
【００７４】
ステップS1610の印刷処理では、図８のフローチャートで示されるステップS803〜S819の処理が実行される。ただし、文字列／図形の背景部は画像データとしてインクリボン各色で印刷処理される。
【００７５】
以上説明したように、印刷装置側で文字情報や図形情報等の配置、配色の設定が自動で行われる。これにより、より簡単な操作で、オーバーコート層を印刷しない領域として文字情報や図形情報等を隠蔽することが可能になる。
【実施例３】
【００７６】
以下、本発明の第３の実施形態に係る印刷装置の印刷設定及び印刷処理動作について、図１８を参照して説明する。図１８は、第３の実施形態に係る印刷用紙の印刷面の一部を示す図である。本実施形態では印刷用紙の余白等に、入力された文字情報などに基づいてオーバーコート層非印刷領域1802を形成する。ただし、本実施形態では画像データの印刷とともに数字やアルファベットなどの入力情報を余白等に印刷したうえで染料印刷オーバーコート層非印刷領域1803を形成する。なお、図中、1801は染料印刷オーバーコート層印刷領域を示す。
【００７７】
入力情報は、ユーザによるメモや印刷用紙の残枚数等を示す情報であっても良い。さらに、タグ情報等を印刷物と一緒に印刷して管理に使用しても良い。これらの情報の入力は、第１および２実施形態と同様の入力方法によるか、あるいは適宜設定画面による自動設定としてもよい。また、染料印刷オーバーコート層非印刷領域1803の位置も、第１または第２の実施形態のように、手動または自動での設定とすることができる。印刷した情報が不必要になったときは、染料オーバーコート層非印刷領域1803を擦ることで、数字やアルファベットを構成する染料を除去することができる。
【００７８】
図１８ではデジタル文字の形状でオーバーコート層非印刷領域1802を形成しているが、領域1802の形状は、文字列に合わせた帯状や、文字に併せた四角形状等でも良い。また、染料印刷領域を除去することでQRコード（二次元バーコード）や文字列／図形等が残るような領域形状を有するようオーバーコート層非印刷領域1802を形成しても良い。
以上説明したように、本実施形態では、入力情報の位置を印刷媒体の画像データ印刷領域以外の領域に設定したときは、入力された情報を設定された位置に印刷するよう構成されている。この構成により、必要に応じて印刷用紙に文字情報や図形情報などを印刷し、それが不必要となったときに印刷面をこするだけで容易に消去することが可能となる。
【実施例４】
【００７９】
以下、本発明の第４の実施形態に係る印刷装置の印刷設定及び印刷処理動作について、図１９を参照して説明する。図１９(a)、(b)は、第４の実施形態に係る印刷装置により印刷された印刷用紙の断面を示す概略図である。本実施形態では、オーバーコート層305のエッジ部の形状を、オーバーコート層の印刷データの補正処理で達成する。すなわち、本件発明では、保護層を印刷しない領域と保護層を印刷する領域との境界部分の保護層の階調値変化を補正する。
【００８０】
図１９(a)は、オーバーコート層305を印刷しない領域とオーバ−コート層305を印刷する領域との境界でのオーバーコード層305のエッジ部1901の諧調値が急峻に変化する（階調値0から階調値170への変化で、最大値変化率）状態を示す。本実施形態によれば、このようなオーバーコード層のエッジ部を形成するように、印刷データにエッジ強調等の補正処理を行う。すなわち、エッジ補正処理では、保護層を印刷しない領域と該保護層を印刷した領域との境界部分の保護層の階調値変化が最大となるようにエッジ補正を行う。
【００８１】
本実施形態により、染料印刷領域を除去した際に文字列／図形の輪郭が明確となる効果がある。
【００８２】
図１９(b)は、オーバーコート層305を印刷しない領域とオーバ−コート層305を印刷する領域との境界でのエッジ部1902の階調値が、0から170または170から0まで段階的（最大値より小さい変化率）に変化する状態を示す。本実施形態によれば、このようにオーバーコード層のエッジ部を形成するよう印刷データの補正処理を行うことができる。すなわち、エッジ補正処理は、保護層を印刷しない領域と保護層を印刷した領域との境界部分の保護層の階調値の変化が、最大よりも小さくなるようにエッジ補正を行う。
【００８３】
本処理により、オーバーコート層を印刷しない領域とオーバーコート層を印刷する領域との境界が区別し難くなる効果がある。なお、諧調値の変化率は図１９に限るものではなく、他の変化率に補正してもより。
【００８４】
以上説明したように、本発明によれば、ユーザの任意の位置に文字情報や図形情報等を、オーバーコート層を印刷しない領域として設け、文字情報や図形情報等を隠蔽することが可能な印刷装置を提供することが出来る。また、不必要となった文字情報や図形情報を消去することが可能な印刷装置を提供することが出来る。
【００８５】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。実施形態ではロール紙印刷装置について説明したが、カット紙やその他の印刷用紙を使用する印刷装置にも適用が可能である。その他、インクジェット方式の印刷装置等で、保護層が形成される印刷装置にも適用が可能である。尚、実施例では隠蔽部分が文字情報／図形情報の場合ついて記載したが、限定されるものではない。例えば文字情報や図形情報にはアイコンや符号化コード情報等、印刷装置で印刷可能な内容は全て含まれる。なお、メインコントローラ501の制御は１つのハードウェアが行ってもよいし、複数のハードウェアが処理を分担することで、装置全体の制御を行ってもよい。
【００８６】
また、本発明の目的は、前述した実施形態の機能を実現するソフトウェアのプログラムコードを記録した記憶媒体を、システムあるいは装置に供給するよう構成することによっても達成されることはいうまでもない。この場合、そのシステムあるいは装置のコンピュータ（またはＣＰＵやＭＰＵ）がコンピュータ読み取り可能な記憶媒体に格納されたプログラムコードを読出し実行することにより、上記機能が実現されることとなる。なお、この場合、そのプログラムコードを記憶した記憶媒体は本発明を構成することになる。プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００８７】
また、コンピュータが読出したプログラムコードを実行することにより、前述した実施形態の機能が実現される場合に限られない。例えば、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００８８】
さらに、記憶媒体から読出されたプログラムコードが、コンピュータに挿入された機能拡張ボードやコンピュータに接続された機能拡張ユニットに備わるメモリに書込まれた後、前述した実施形態の機能が実現される場合も含まれる。つまり、プログラムコードがメモリに書込まれた後、そのプログラムコードの指示に基づき、その機能拡張ボードや機能拡張ユニットに備わるＣＰＵなどが実際の処理の一部または全部を行い、その処理によって実現される場合も含まれる。
【符号の説明】
【００８９】
101  染料印刷オーバーコート層印刷領域
102  染料印刷オーバーコート層非印刷領域
103  染料除去オーバーコート層非印刷領域
201  イエロー（Y）色の昇華性染料層
202  マゼンタ（M）色の昇華性染料層
203  シアン（C）色の昇華性染料層
204  オーバーコート（OP）層（熱溶融性の樹脂製材料クリア層）
205  インクリボンの頭出し位置検出用のマーカー
301  印刷用紙の染料受容層
302  イエロー（Y）色の昇華性染料
303  マゼンタ（M）色の昇華性染料
304  シアン（C）色の昇華性染料
305  オーバーコート（OP）層
【図１】
0005737884.tif 000002
【図２】
0005737884.tif 000003
【図３】
0005737884.tif 000004
【図４】
0005737884.tif 000005
【図５】
0005737884.tif 000006
【図６】
0005737884.tif 000007
【図７】
0005737884.tif 000008
【図８】
0005737884.tif 000009
【図９】
0005737884.tif 000010
【図１０】
0005737884.tif 000011
【図１１】
0005737884.tif 000012
【図１２】
0005737884.tif 000013
【図１３】
0005737884.tif 000014
【図１４】
0005737884.tif 000015
【図１５】
0005737884.tif 000016
【図１６】
0005737884.tif 000017
【図１７】
0005737884.tif 000018
【図１８】
0005737884.tif 000019
【図１９】
0005737884.tif 000020